(57)【要約】      （修正有）【課題】床上で競技者が運動した時、液晶発色体などの加電表示体を破損する恐れが無く、競技者の目の位置による見掛けライン幅と真のライン幅および見掛けライン位置と真のライン位置とのずれがない表面発色形ライン表示具の提供。【解決手段】運動競技を行う床材５の表面６にライン状の溝を形成し、表面部に拡散層８１を有し、下面部に加電表示具１０の厚さＫより深い深さＭの凹部を形成して加電表示具１０を貼着した透明なポリカーボネートの保護部材８を、表面部が前記床の表面６と面一になるように前記ライン状の溝に嵌合した。床の一部であるライン上で競技者が飛び跳ねても、踏み力は凹部の両端部と接する床材５に伝わり、加電表示体１０には伝わらない。そのうえ、拡散層８１が発色して競技用のラインを表示するので、視点Ａからラインを見た場合、この拡散層８１が視認されるから、見掛けライン幅Ｈは真のライン幅Ｈと同一に視認される。【選択図】        図２
2004313372.tif 000002
【特許請求の範囲】
【請求項１】
運動競技を行う床に設置された加電表示具への電力を制御することにより前記床に競技用のラインを表示することが可能なライン表示具において、
前記床を構成する床材の表面の側に形成した溝の底部に、前記加電表示具を載置し、前記加電表示具を保護するための保護部材の表面部に拡散層を設け、前記拡散層が前記床の表面の一部を形成するように前記溝に嵌合して、前記加電表示具を前記溝の底部と前記保護部材とで狭持し、前記拡散層が前記加電表示具の発光によって発色し競技用のラインを表示する構成としたことを特徴とする表面発色形ライン表示具。
【請求項２】
運動競技を行う床に設置された加電表示具への電力を制御することにより前記床に競技用のラインを表示することが可能なライン表示具において、
前記加電表示具を保護するための保護部材の表面部に拡散層を設け、下面部には前記加電表示具の厚さより深い凹部を形成し、前記床を構成する床材の表面の側に形成した溝に、前記保護部材の表面部が前記床の表面の一部を形成するように嵌合し、前記保護部材の前記凹部に前記加電表示具を内装し前記拡散層が前記加電表示具の発光によって発色し競技用のラインを表示する構成としたことを特徴とするの表面発色形ライン表示具。
【請求項３】
前記床を構成する床材の表面の側に幅の大きい広溝を、前記広溝に続けて前記加電表示具の厚さより深い幅の狭い狭溝を形成し、前記加電表示具を保護するための保護部材を、前記広溝に前記保護部材の上面が前記床の表面の一部を形成するように嵌合し、前記保護部材の下面の前記狭溝に前記加電表示具を内装した構成とすることを特徴とする請求項１に記載の表面発色形ライン表示具。
【請求項４】
運動競技を行う床に設置された加電表示具への電力を制御することにより前記床に競技用のラインを表示することが可能なライン表示具において、
前記加電表示具を保護するための前記保護部材を、床の台形の溝に前記保護部材の表面が前記床の一部を形成するように嵌合したときに、前記保護部材の下面と前記溝の底との間が前記加電表示具の厚さより大きくなるように前記床に台形の溝を形成し、前記保護部材と前記溝の底との間に前記加電表示具を内装し、前記拡散層が前記加電表示具の発光によって発色し競技用のラインを表示する構成としたことを特徴とするの表面発色形ライン表示具。
【発明の詳細な説明】
【０００１】
【発明の属する技術分野】
本発明は、運動競技を行う場所の床に競技用のラインを表示するためのライン表示具に関する。このライン表示具は、多種類の運動競技を行う公共の体育館の床などに用いて好適である。
【０００２】
【従来の技術】
学校や市民向けの体育館では、バレーボール、バスケットボール、剣道、バドミントン、ハンドボールなど、多種類の運動競技が行われることが多い。このため、従来から体育館の床には、各運動競技ごとに色の異なる塗料や接着テープでラインが表示されている。しかし、こうして体育館の床に描かれた様々な色のラインは、床面を見る者ものに煩雑な感じを与え、著しく美観を損なうこととなっていた。また、競技者や審判員は、どの色のラインが現在競技中のラインであるかということを常に意識しなければならず、判断が困難で判りづらいという不具合があった。
【０００３】
こうした不具合を解決するため、従来より、ライン表示装置が知られている。このライン表示装置は、運動競技を行う床に設置され、電力を供給することにより競技用の床に各種競技用の複数のラインを表示することが可能なライン表示具と、複数のラインの中から競技種目に応じたラインを選択して表示させるようにライン表示具を制御することが可能なライン制御具とが備えられている。例えば、特許文献１には、エレクトロルミネッセンス材や液晶や温度感応発色体を用いたライン表示具が記載されている。
【特許文献１】
特開平７−３９６１６号公報（第４頁  図４）
【０００４】
こうした、従来のライン表示装置によれば、ライン制御具によって必要とされるラインのみを発光または発色させることにより、現在競技中のラインを他のラインと区別するためのライン表示具は、液晶発色体や透明電極などから構成する加電表示具を保護するための保護部材と床材との間に前記加電表示具を狭持した構成で床に設置されいた。
図５は従来のライン表示具の設置例をラインに直角に示す横断面図の一例である。
図５において、ライン表示具は床の表面６に形成した幅Ｈの溝の、絶縁材層２４に載置された金属電極２３と液晶発色体２１と透明電極２２から成る加電表示具２０が、透明外被２８と床材５との間に狭持され床に載置されいる。
このような構成で加電表示体２０の液晶発色体２１に電力が加えられ競技用ラインの幅Ｈを表示するようにしたものである。
【０００５】
【発明が解決しようとする課題】
しかしながら、従来のライン表示具は上記のように構成されているから、ライン上つまり床の一部である透明外被の上で競技者などが運動した時に生ずる踏み力は、透明外被と床材との間に狭持された液晶発色体に加わり、液晶発色体などの加電表示体を破損する恐れが多いので、加電表示体の保護部材である透明外被の厚さを薄くできなかった。
さらに、上記の理由から透明外被が厚くなり、競技者などがラインを見る目の位置によって認識する見掛けライン幅と床と垂直の真のライン幅および見掛けライン位置と真のライン位置との変化量が多く発生していることが判明した。
すなわち、図５においてラインを斜め横から見た場合、つまりラインの横の上方の視点Ａからラインを斜視した場合には、ライン幅は液晶発色体２１の幅の一部分の長さＨ６は透明外被２８と透明電極２２を含めた厚さＴに相当する床材５の部分に遮られて透明外被２８と透明電極２２を透視してＸ度として認識する。
このときの見掛けライン幅はＨ２となり、床に垂直に見た場合すなはち競技用の真のライン幅Ｈより狭く見えるのである。この狭く見える量つまり遮られる長さであるＨ６は直角三角形における各辺の長さの定理から、透明外被２８と透明電極２２を含めた厚さＴに正比例しているのである。
また、見掛けライン位置（中心）もＡ点寄りに視認していたのである。
【０００６】
そこで、本発明は、競技者などがラインを見る目の位置によって認識する見掛けライン幅と真のライン幅および見掛けライン位置と真のライン位置との変化量をなくし、さらには競技者などの運動によって生ずる踏み力が加電表示体に加わらないようにして、踏み力によって加電表示具が破損する恐れを無くしした表面発色形ライン表示具の提供を課題とするものである。
【０００７】
【課題を解決するための手段】
請求項１にかかる表面発色形ライン表示具は、運動競技を行う床に設置された加電表示具への電力を制御することにより前記床に競技用のラインを表示することが可能なライン表示具において、前記床を構成する床材の表面の側に形成した溝の底部に、前記加電表示具を載置し、前記加電表示具を保護するための保護部材の表面部に拡散層を設け、前記拡散層が前記床の表面の一部を形成するように前記溝に嵌合して、前記加電表示具を前記溝の底部と前記保護部材とで狭持し、前記拡散層が前記加電表示具の発光によって発色し競技用のラインを表示する構成としたものである。
【０００８】
請求項２にかかる表面発色形ライン表示具は、運動競技を行う床に設置された加電表示具への電力を制御することにより前記床に競技用のラインを表示することが可能なライン表示具において、前記加電表示具を保護するための保護部材の表面部に拡散層を設け、下面部には前記加電表示具の厚さより深い凹部を形成し、前記床を構成する床材の表面の側に形成した溝に、前記保護部材の表面部が前記床の表面の一部を形成するように嵌合し、前記保護部材の前記凹部に前記加電表示具を内装し前記拡散層が前記加電表示具の発光によって発色し競技用のラインを表示する構成としたものである。
【０００９】
請求項３にかかる表面発色形ライン表示具は、前記床を構成する床材の表面の側に幅の大きい広溝を、前記広溝に続けて前記加電表示具の厚さより深い幅の狭い狭溝を形成し、前記加電表示具を保護するための保護部材を、前記広溝に前記保護部材の上面が前記床の表面の一部を形成するように嵌合し、前記保護部材の下面の前記狭溝に前記加電表示具を内装した構成とするものである。
【００１０】
請求項４にかかる表面発色形ライン表示具は、運動競技を行う床に設置された加電表示具への電力を制御することにより前記床に競技用のラインを表示することが可能なライン表示具において、前記加電表示具を保護するための保護部材の表面部に拡散層を設けた前記保護部材を、床の台形の溝に前記保護部材の表面が前記床の一部を形成するように嵌合したときに、前記保護部材の下面と前記溝の底との間が前記加電表示具の厚さより大きくなるように前記床に台形の溝を形成し、前記保護部材と前記溝の底との間に前記加電表示具を内装し、前記拡散層が前記加電表示具の発光によって発色し競技用のラインを表示する構成とするものである。
【００１１】
【発明の実施の形態】
以下、本発明の実施形態を説明する。
図１は本発明の実施形態１である表面発色形ライン表示具の設置例をラインに直角に示す横断面図である。図２は本発明の実施形態２である表面発色形ライン表示具の設置例をラインに直角に示す横断面図である。図３は本発明の実施形態３である表面発色形ライン表示具の設置例をラインに直角に示す横断面図である。図４は本発明の実施形態４である表面発色形ライン表示具の設置例をラインに直角に示す横断面図である。
本発明による実施の形態１を以下に説明するが、実施の形態２以降においては上記実施の形態１との相違点のみを説明し、上記実施の形態１と同一または相当部分の構成については図面に同一の番号符号を付してその説明を省略する。
なお、図中、従来例と同一符号および同一記号は、従来例の構成部分と同一または相当部分を示すものである。
【００１２】
（実施形態１）
図１において、ポリカーボネイトの保護部材８は、その表面部に他面側から光を受けたときに光を拡散するように、保護部材８とは光に対する屈曲率の異なる透明なガラスからなる粒子を混合した拡散層８１を設けたものである。
前記保護部材８の拡散層８１を有する表面部を、運動競技を行う床の表面６の一部を形成するように床材５に形成したライン状の溝に、アルミ箔の反射材１５を前記保護部材８および加電表示具１０と前記床材５との間に狭持するように嵌合したものである。なお、加電表示具１０は従来の図５では加電表示具２０に相当するもで、保護部材８は従来の図５においては透明外被２８に相当するものであり他の構成は従来と同様である。
【００１３】
上記のように構成した本実施例において、ラインを斜め横から見た場合、つまりラインの横の上方の視点Ａからラインを斜視した場合の見掛けのライン幅Ｈ２は従来の図５では、透明外被２８を透視して加電表示具２０を視度Ｘとして視認するため透明外被２８と透明電極２２を含めた厚さＴに相当する床材５の部分に遮られ床に垂直に見た場合の真のライン幅ＨよりＨ６の長さ分狭く見えるのである。
しかしながら、本実施例では加電表示具１０からの光（明かり）は、透明な部分の厚さＴを透過して保護部材８の表面部すなはち床の表面６である拡散層８１で拡散して発色し競技用のラインとして表示する。
そこで、視点Ａからラインを見た場合、この拡散層８１つまりラインの幅Ｈを直接に視度Ｘとして視認するのである。
したがって、視点Ａから視認する見掛けライン幅Ｈは真のライン幅Ｈと同一に視認できるので、ラインを斜め横から見た場合でも見掛けラインの幅Ｈと真のライン幅Ｈとの変化量が生ずることがないうえに、見掛けライン位置と真のライン位置との変化量も生じない。
また、この実施例では保護部材８と床材５とが反射材１５を介して接合する境界面の各々両面に接着剤を塗布しアルミ箔を反射材１５として狭持しているので、加電表示具１０の加電表示体が発光した時に明るく反射して、より多くの光を拡散層８１に与え該拡散層８１をより明るく発色することになる。
そのうえ、接着剤によって床５と保護部材８などが強固に固着するから、床面６から保護部材８が浮き上がることもない。
【００１４】
この実施例では拡散層８１はガラスの粒子を混合した層としているが、極小の気泡やサンドブラスト加工を施して凹凸を設けた層であってもよい。
要は下から加電表示具１０の光を受けたときこの層が光を拡散して発色しラインとして認識できるものであって、下からの光を受けないときは床と同系色に見えるように半透明であることが望ましい。
なお、この実施例では反射材１５としてアルミ箔を用いているが、明るく反射すればよいので光沢性のある黒色でもよく、保護部材８と床材５と接合する境界面の保護部材８か床材５のどちらかの面に明るく反射する光沢性の塗料などを塗布したものを用いてもよい。
【００１５】
ところで、この拡散層８１として偏光フイルターを設けたり、あるいは保護部材８そのものを調光ガラスとして知られる２枚のガラスや樹脂などの透明板として、その板の間に加電表示体として液晶シートや電子ペーパと呼ばれる電子誘動式表示素子を電極とともに加電表示具１０として挟持させたものであってもよい。
また、光ファイバー（グラスファイバー）の先端を保護部材の表面部に散在させて、この先端より直接光を発光してラインを表示することも可能である。
もとより、加電表示具１０の加電表示体としては、液晶、エレクトロ・ルミネッセンス材、調光ガラス、温度感応発色体、発光ダイオード、蛍光灯あるいは電子泳動式表示素子のように一度電圧をかければ、継続して加電しなくてもライン表示を維持することが出来る物でもよい。すなわち加電表示体は電力の入切によってラインの表示と非表示の切替ができる物であればよい。本発明ではこれらの加電表示体の種類を問うものではないので、以下単に加電表示具１０と称する。
【００１６】
（実施形態２）
図２は本発明の実施形態２である表面発色形ライン表示具の設置例をラインに直角に示す横断面図である。
図２において、本実施の形態の表面発色形ライン表示具は、運動競技を行う床を構成する床材５の表面６の側に形成したライン状の溝である床材５に、表面部に拡散層８１有すし、下面部には加電表示具１０の厚さＫより大きい深さＭの凹部（幅Ｈ３）を形成し、この凹部に前記加電表示具１０貼着し担持した透明なポリカーボネートの保護部材８を、前記保護部材８の表面部が前記床の表面６の一部を形成するように床材５に形成した前記ライン状の溝に嵌合したものである。
また、この実施例では反射剤１５は前記加電表示具１０を包み込むように前記溝の底部を含めた全面に亘っている。
上記のように構成した本実施例において、床の一部であるライン上で競技者が飛び跳ねるなどの運動を行い、強い踏み力が前記保護部材８に加わった場合、踏み力は保護部材８の凹部の深さＭが加電表示具１０の厚さＫより、大きいので踏み力は凹部の両端部と接する床材５に伝わり、加電表示体１０にはまったく伝わらない。
【００１７】
また、保護部材８に集中荷重が掛かって保護部材８が撓みや歪みを生じたとしても、凹部の深さＭと加電表示具１０の厚さＫとの差分は歪みを保護部材８のみで吸収することができるので、この場合にも加電表示具１０には荷重が伝わることがない。したがって、踏み力によって加電表示具１０が破損する恐れがない。
さらに、上記のように保護部材８が踏み力によって、たとえ歪みが生じたとしても加電表示具１０への影響が無いことから、従来のライン表示具の保護部材８の厚さをより薄くすることが出来るので、高価な保護部材８の材料節約にもなる。
【００１８】
そのうえに、拡散層８１が発色して競技用のラインとして表示すので、視点Ａからラインを見た場合、この拡散層８１つまりラインの幅Ｈを視度Ｘとして視認するのであるから、見掛けライン幅Ｈは真のライン幅Ｈと同一に視認できるので、見掛けラインの幅Ｈと真のライン幅Ｈとの変化量が生ずることがないうえに、見掛けライン位置と真のライン位置との変化量も生じないことは前記実施の形態１と同様である。
【００１９】
（実施の形態３）
図３は本発明の実施形態３である表面発色形ライン表示具の設置例をラインに直角に示す横断面図である。
図３は、床材５の表面の側に幅の大きい広溝を、この広溝に続けて前記加電表示具の厚さより深い幅の狭い狭溝を段差を設けて形成し、前記広溝に前記保護部材８を嵌合し前記狭溝の前記保護部材８の下面に加電表示具１０を貼着して内装し、拡散層８１の上面に透明な樹脂からなる帯状材１９を床材５と保護部材８との嵌合する継目を覆うように貼着したものである。
ここで狭溝の深さＭは、加電表示具１０の厚さＫより大きくしておくことにより、実施の形態２で説明したのと同様に踏み力が保護部材８に加わった場合でも内装した加電表示具１０に踏み力は伝わらない。
また、広溝と狭溝を段差を設けて形成することにより保護部材８に前記実施の形態２のように凹部を形成しなくても、踏み力が加電表示具１０に伝わらないので、保護部材８は単に板状の物でよいから、簡素な形状となり、工場で加電表示具１０と保護部材８とを一体的に製造する場合などには特に効率的で経済的に生産することが可能となる。
拡散層８１に貼着した帯状材１９は拡散層８１の表面が凹凸である場合には、ここに埃などが付着するのを防ぐと共に、床材５と保護部材８との継目から保護部材８が床面上に浮き出るのを防止することができる。
【００２０】
なお、加電表示具１０を保護部材８の下面に貼着せずに、狭溝の床材５上に載置してもよい。
さらに、床材５と加電表示具１０と反射材１５および保護部材８を工場で一体的に製造して表面発色形ライン表示具を設けた床板として生産できることはもちろんである。この場合においては、床板の幅Ｈ５やラインの位置Ｈ６をさまざまな寸法の物を取り揃えて、ラインの床への設置位置の調節が簡単にできる。
【００２１】
（実施の形態４）
図４は本発明の実施形態４である表面発色形ライン表示具の設置例をラインに直角に示す横断面図である。
図４において、本実施の形態の表面発色形ライン表示具は前記加電表示具１０を保護するための保護部材８の表面部に拡散層８１を設けた前記保護部材８を、床の台形の溝に前記保護部材８の表面が前記床の一部を形成するように嵌合したときに、前記保護部材８の下面と前記溝の底との間Ｍが前記加電表示具１０の厚さＫより大きくなるように前記床に台形の溝を形成し、前記保護部材８と前記溝の底との間に前記加電表示具１０を内装し、前記拡散層８１が前記加電表示具１０の発光によって発色し競技用のラインを表示する構成とするものである。
その他の構成は前記実施に形態３と同様である。
この実施例では、床に形成する溝の形状は上面広がりの等脚台形であり、前記実施に形態３のように２種類の溝を形成する必要がない。
したがって、床の加工が容易である。
また、保護部前記材８と床との嵌合はクサビ状に食い込むので、保護部前記材８と床との嵌合はより強くなり、保護部材部材８が床から浮き上がることを防止できる。
なお、台形にこだわることなく、溝の片側を図３のような段付きにすることもできる。
【００２２】
【発明の効果】
以上のように、請求項１にかかる表面発色形ライン表示具は、運動競技を行う床に設置された加電表示具への電力を制御することにより前記床に競技用のラインを表示することが可能なライン表示具において、前記床を構成する床材の表面の側に形成した溝の底部に、前記加電表示具を載置し、前記加電表示具を保護するための保護部材の表面部に拡散層を設け、前記拡散層が前記床の表面の一部を形成するように前記溝に嵌合して、前記加電表示具を前記溝の底部と前記保護部材とで狭持し、前記拡散層が前記加電表示具の発光によって発色し競技用のラインを表示する構成としたものであるから、ラインを斜め横から見た場合でも見掛けラインの幅Ｈと真のライン幅Ｈとの変化量が生ずることがないうえに、見掛けライン位置と真のライン位置との変化量も生じない。
【００２３】
請求項２にかかる表面発色形ライン表示具は、運動競技を行う床に設置された加電表示具への電力を制御することにより前記床に競技用のラインを表示することが可能なライン表示具において、前記加電表示具を保護するための保護部材の表面部に拡散層を設け、下面部には前記加電表示具の厚さより深い凹部を形成し、前記床を構成する床材の表面の側に形成した溝に、前記保護部材の表面部が前記床の表面の一部を形成するように嵌合し、前記保護部材の前記凹部に前記加電表示具を内装し前記拡散層が前記加電表示具の発光によって発色し競技用のラインを表示する構成としたものであから、踏み力が保護部材に加わった場合でも、凹部に内装した加電表示具に踏み力は伝わらないので、踏み力によって加電表示具が破損する恐れをなくすことができる。
また、ラインを斜め横から見た場合でも見掛けラインの幅Ｈと真のライン幅Ｈとの変化量が生ずることがないうえに、見掛けライン位置と真のライン位置との変化量も生じない。
【００２４】
請求項３にかかる表面発色形ライン表示具は、前記床を構成する床材の表面の側に幅の大きい広溝を、前記広溝に続けて前記加電表示具の厚さいり深い幅の狭い狭溝を段差を設けて形成し、前記加電表示具を保護するための保護部材を、前記広溝に前記保護部材の上面が前記床の表面の一部を形成するように嵌合し、前記保護部材の下面の前記狭溝に前記加電表示具を内装した構成とするものであるから、請求項１の効果に加えて、踏み力が保護部材８に加わった場合でも内装した加電表示具１０に踏み力は伝わらないので、踏み力によって加電表示具が破損する恐れをなくすことができる。
【００２５】
請求項４にかかる表面発色形ライン表示具は、運動競技を行う床に設置された加電表示具１０への電力を制御することにより前記床に競技用のラインを表示することが可能なライン表示具において、前記加電表示具１０を保護するための前記保護部材８を、床の台形の溝に前記保護部材８の表面が前記床の一部を形成するように嵌合したときに、前記保護部材８の下面と前記溝の底との間が前記加電表示具１０の厚さより大きくなるように前記床に台形の溝を形成し、前記保護部材と前記溝の底との間に前記加電表示具を内装し、前記拡散層８１が前記加電表示具１０の発光によって発色し競技用のラインを表示する構成とするものであるから、踏み力によって加電表示具が破損する恐れをなくすことができる。
また、床の加工が容易であり、保護部材部材８が床から浮き上がることを防止できる。
【図面の簡単な説明】
【図１】図１は本発明の実施形態１である表面発色形ライン表示具の設置例をラインに直角に示す横断面図である。
【図２】図２は本発明の実施形態２である表面発色形ライン表示具の設置例をラインに直角に示す横断面図である。
【図３】図３は本発明の実施形態３である表面発色形ライン表示具の設置例をラインに直角に示す横断面図である。
【図４】図４は本発明の実施形態４である表面発色形ライン表示具の設置例をラインに直角に示す横断面図である。
【図５】図５は従来のライン表示具の設置例をラインに直角に示す横断面図の一例である。
【符号の説明】
５    床材
６    床の表面
８    保護部材              ２８  透明外被
１０  加電表示具
１５  反射材
１７  帯状材
８１  拡散層
Ｈ    ライン幅
Ｈ２  見掛けライン幅
Ｘ    視角
【図１】
2004313372.tif 000003
【図２】
2004313372.tif 000004
【図３】
2004313372.tif 000005
【図４】
2004313372.tif 000006
【図５】
2004313372.tif 000007